(57)【要約】壁面の中間部や下部に向かう光の光量を増加させるとともに、コントロール性の高い光によって、壁面全体を均一に照射することができる照明器具本体を提供する。中心軸Ｃ０を上下方向に向けた姿勢で天井面に埋め込まれて使用される照明器具本体（２０）において、発光面（７２）を有する面状光源（７０）と、軸心Ｃ１を中心とした椀状に形成され、発光面（７２）の下方を覆うように配設されたリフレクター（８０）とを備え、リフレクター（８０）は、軸心Ｃ１が下側を壁面Ｗに近づけるように傾斜姿勢で配設されるとともに、軸心Ｃ１に直交する仮想平面Ｈ２よりも発光面（７２）に近い側に、軸心Ｃ１と同平面に位置する放物線の一部を軸心Ｃ１の周りに回転することにより得られる回転放物面状の第１の反射面（８１）を有し、発光面（７２）から遠い側に、軸心Ｃ１と同平面に位置する楕円の一部を軸心Ｃ１の周りに回転することにより得られる回転楕円面状の第２の反射面（８２）を有する。
2016031944.tif 000002
【特許請求の範囲】
【請求項１】
中心軸を上下方向に向けた姿勢で天井面に埋め込まれて使用される照明器具本体において、  発光面を有する面状光源と、  軸心を中心とした椀状に形成され、前記発光面の下方を覆うように配設されたリフレクターと、を備え、  前記リフレクターは、  前記軸心が下側を壁面に近づけるように傾斜姿勢で配設されるとともに、  前記軸心に直交する仮想平面よりも前記発光面に近い側に、前記軸心と同平面に位置する放物線の一部を前記軸心の周りに回転することにより得られる回転放物面状の第１の反射面を有し、前記発光面から遠い側に、前記軸心と同平面に位置する楕円の一部を前記軸心の周りに回転することにより得られる回転楕円面状の第２の反射面を有する、  ことを特徴とする照明器具本体。
【請求項２】
前記第１の反射面は、前記放物線の一部が、前記発光面の中心からずれた位置に焦点を有する、  ことを特徴とする請求項１に記載の照明器具本体。
【請求項３】
前記第２の反射面は、前記楕円の上側の焦点が、前記発光面から出て前記第２の反射面に至る光の光路中に配置され、前記楕円の下側の焦点が、前記第２の反射面の下端よりも下側に配置されている、  ことを特徴とする請求項１又は２に記載の照明器具本体。
【請求項４】
前記第２の反射面は、前記上側の焦点及び前記下側の焦点が前記軸心上に配置され、かつ前記上側の焦点が前記発光面の中心に配置されている、  ことを特徴とする請求項３に記載の照明器具本体。
【請求項５】
前記第１の反射面は、前記回転放物面の周方向に交差する方向に延びる凸状及び凹状を前記周方向沿って多数有するローレット加工が施されている、  ことを特徴とする請求項１ないし４のいずれか１項に記載の照明器具本体。
【請求項６】
前記第２の反射面は、ファセット加工が施されている、  ことを特徴とする請求項１ないし５のいずれか１項に記載の照明器具本体。
【請求項７】
請求項１ないし６のいずれか１項に記載の照明器具本体と、  天井面に穿設された取付孔に固定されて、前記照明器具本体を着脱可能に保持する本体取付具と、を備える、  ことを特徴とする照明器具。  
【発明の詳細な説明】
【技術分野】
【０００１】  本発明は、天井面に埋め込まれて壁面を照射する照明器具に関する。
【背景技術】
【０００２】  特許文献１には、ウォールウォッシャー型の照明器具が開示されている。【０００３】  この照明器具は、光源としてのランプ、及びランプからの光を反射させるリフレクターを有していて、ほぼ全体が天井面に埋め込まれるようにして取り付けられている。リフレクターは、その軸心が壁面に向かうように傾斜して配設されている。さらにリフレクターは、楕円の一部を、軸心の周りに回転して得られる回転楕円面状に形成されている。さらに、この楕円は、２つの焦点が軸心上に配置されるとともに、上側の焦点がランプと一致し、また、下側の焦点が天井面近傍に配置されている。【０００４】  この照明器具にあっては、ランプ（上側の焦点）から出た光は、リフレクターで反射されて、下側の焦点を通って、天井面とほぼ平行に進んで、壁面における天井際を照射することができる。
【先行技術文献】
【特許文献】
【０００５】
【特許文献１】特開２０１１−４０２９９号公報
【発明の概要】
【発明が解決しようとする課題】
【０００６】  しかしながら、上述の照明器具によると、壁面における、天井際を含む上部は良好に照射することはできるものの、壁面における中間部や下部も含めた壁面全体を均一に照射することが難しい。【０００７】  上述のような天井面に埋め込むようにして設置した照明器具によって壁面を照射する場合、壁面の上部は、照明器具から比較的近いが、中間部、さらには下部となるほど、照明器具からの距離が遠くなる。このため、照明器具によって、壁面の上部から下部まで均一に照射しようとすると、中間部さらには下部に向ける光の光量を上部と比較してかなり多くする必要がある。【０００８】  本発明は、上述した事情に鑑みてなされたものであり、壁面の中間部や下部に向かう光の光量を増加させるとともに、コントロール性の高い光によって、壁面全体を均一に照射することができる照明器具本体、及び照明器具を提供することを目的とする。
【課題を解決するための手段】
【０００９】  請求項１に係る発明は、中心軸を上下方向に向けた姿勢で天井面に埋め込まれて使用される照明器具本体において、発光面を有する面状光源と、軸心を中心とした椀状に形成され、前記発光面の下方を覆うように配設されたリフレクターと、を備え、前記リフレクターは、前記軸心が下側を壁面に近づけるように傾斜姿勢で配設されるとともに、前記軸心に直交する仮想平面よりも前記発光面に近い側に、前記軸心と同平面に位置する放物線の一部を前記軸心の周りに回転することにより得られる回転放物面状の第１の反射面を有し、前記発光面から遠い側に、前記軸心と同平面に位置する楕円の一部を前記軸心の周りに回転することにより得られる回転楕円面状の第２の反射面を有する、ことを特徴とする。【００１０】  請求項２に係る発明は、請求項１に係る照明器具本体において、前記第１の反射面は、前記放物線の一部が、前記発光面の中心からずれた位置に焦点を有する、ことを特徴とする。【００１１】  請求項３に係る発明は、請求項１又は２に係る照明器具本体において、前記第２の反射面は、前記楕円の上側の焦点が、前記発光面から出て前記第２の反射面に至る光の光路中に配置され、前記楕円の下側の焦点が、前記第２の反射面の下端よりも下側に配置されている、ことを特徴とする。【００１２】  請求項４に係る発明は、請求項３に係る照明器具本体において、前記第２の反射面は、前記上側の焦点及び前記下側の焦点が前記軸心上に配置され、かつ前記上側の焦点が前記発光面の中心に配置されている、ことを特徴とする。【００１３】  請求項５に係る発明は、請求項１ないし４のいずれか１項に係る照明器具本体において、前記第１の反射面は、前記回転放物面の周方向に交差する方向に延びる凸状及び凹状を前記周方向沿って多数有するローレット加工が施されている、ことを特徴とする。   請求項６に係る発明は、請求項１ないし５のいずれか１項に係る照明器具本体において、前記第２の反射面は、ファセット加工が施されている、ことを特徴とする。【００１４】  請求項７に係る発明は、照明器具において、請求項１ないし６のいずれか１項に記載の照明器具本体と、天井面に穿設された取付孔に固定されて、前記照明器具本体を着脱可能に保持する本体取付具と、を備える、ことを特徴とする。
【発明の効果】
【００１５】  請求項１の発明によれば、リフレクターは、照明器具本体に対して傾斜姿勢で配設され、回転放物面状の第１の反射面と、回転楕円面状の第２の反射面とを有するので、第１の反射面により軸心方向の、また、第２の反射面により軸心に交差する方向の光のコントロール性を高めることができる。【００１６】  請求項２の発明によれば、第１の反射面は、放物線の焦点が発光面の中心からずれているので、焦点から出て第１の反射面で反射されて軸心に平行に進んだ光による照射領域の内側の領域を、発光面のうちの焦点よりも内側から出る光により照射し、また、外側の領域を発光面のうちの焦点よりも外側から出る光によって照射することができる。【００１７】  請求項３の発明によれば、第２の反射面は、楕円の上側の焦点が発光面から出て第２の反射面に至る光の光路中に配置され、楕円の下側の焦点が、第２の反射面の下端よりも下側に配置されているので、発光面から出て上側の焦点を通過した光は、第２の反射面で反射されて、下側の焦点を通り、斜め下方に向かって進む。【００１８】  請求項４の発明によれば、上側の焦点及び下側の焦点が軸心上に配置され、かつ上側の焦点が発光面の中心に配置されているので、発光面の中心から出た光は、第２の反射面で反射され、下側の焦点を通り、斜め下方に向かって進む。【００１９】  請求項５の発明によれば、第１の反射面は、ローレットが施されているので、反射光を周方向に拡散させることができる。【００２０】  請求項６の発明によれば、第２の反射面は、ファセット加工が施されているので、反射光を周方向及びこれに交差する方向に拡散させることができる。【００２１】  請求項７の発明によれば、照明器具本体と、これを着脱可能に保持する本体保持具とを備えた照明器具として、上述の照明器具本体の効果を奏することができる。
【図面の簡単な説明】
【００２２】
【図１】照明器具の正面図である。
【図２】図１中のＸ−Ｘ線矢視拡大図である。
【図３】図１中のＸ−Ｘ線矢視分解縮小図である。
【図４】照明器具を斜め下方から見た分解斜視図である。
【図５】基盤、面状光源、リフレクター、拡散板、カバー、及びコーンの、図１中のＸ−Ｘ線矢視拡大図である。
【図６】リフレクター、拡散板、カバー、及びコーンを斜め上方から見た分解斜視図である。
【図７】リフレクター、拡散板、カバー、及びコーンを斜め下方から見た分解斜視図である。
【図８】照明器具から射出される光の光路を説明する図である。
【図９】照明器具から射出される光の光路、及び照射範囲を説明する図である。
【発明を実施するための形態】
【００２３】  以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００２４】  ＜実施形態１＞  図１〜図９を参照して本発明を適用した実施形態１に係る照明器具１、及び照明器具本体２０を説明する。
【００２５】  まず、図１〜図４、図８を参照して、照明器具１の概略構成を説明する。
【００２６】  このうち、図１は、照明器具１の正面図である。また、図２は、図１中のＸ−Ｘ線矢視拡大図である。つまり、照明器具本体２０の中心軸Ｃ０を含み、壁面Ｗ（図５参照）に直交する平面Ｖで切った断面図である。なお、壁面Ｗは、平らで垂直であるものとする。後述する軸心Ｃ１、直線Ｃ２、回転軸Ｃ３は、この平面Ｖ上に載る（位置する）ものとする。また、図３は、図１中のＸ−Ｘ線矢視分解縮小図である。また、図４は、照明器具１を斜め下方から見た分解斜視図である。また、図８は、照明器具１から射出される光の光路を説明する図である。
【００２７】  なお、以下では、照明器具１が、主に、壁面Ｗを照射する、いわゆるウォールウォッシャーである場合を例に説明する。
【００２８】  照明器具１は、埋込フレーム（本体取付具）１０と照明器具本体２０とによって構成されている。このうち、照明器具本体２０は、面状光源７０、リフレクター８０等を備えて構成されている。
【００２９】  埋込フレーム１０は、筒状部１１と、その下端のフランジ部１２と、２組の取付ベース１３と、３個の固定ばね１４と、２個の埋込フレームばね１５（図８参照）と、２個の固定ねじ１６とを有している。
【００３０】  埋込フレーム１０は、図８に示すように、天井面Ｃに穿設された取付孔Ｈに、筒状部１１を挿入してフランジ部１２を天井面Ｃに突き当てた状態で、取付ベース１３に装着された埋込フレームばね１５、固定ねじ１６により、天井面Ｃに固定されている。
【００３１】  埋込フレーム１０は、この状態で、固定ばね１４の一部が筒状部１１の内側に突出され、この突出部分が照明器具本体２０側の後述のコーン１１０に係合することで、照明器具本体２０を保持している。
【００３２】  照明器具本体２０は、上述の面状光源７０、リフレクター８０の外に、ソケット３０、ボディ４０、光源取付部材５０、基盤６０、拡散板９０、カバー１００、及びコーン（保持部材）１１０を備えていて、これらが一体に構成されている。
【００３３】  このうちソケット３０は、放射方向に延びる冷却フィン３１が周方向に多数形成されている。ソケット３０は、また、下方に向かって開口する凹部３２を有している。
【００３４】  ボディ４０は、筒状部４１と、筒状部４１の上端の小径部４２とを有している。
【００３５】  光源取付部材５０は、筒状部５１と、筒状部５１の下端の円板部５２と、円板部５２の上面に放射状に立設された多数の冷却フィン５３を有している。
【００３６】  光源取付部材５０は、ボディ４０の内側に下方から挿入され、冷却フィン５３の上端をボディ４０の小径部４２に当接させて、筒状部５１をボディ４０の筒状部４１から突出させている。この突出部分は、ソケット３０の凹部３２に挿入されている。これにより、光源取付部材５０の冷却フィン５３とソケット３０の冷却フィン３１とがほぼ連続して、周方向に沿って多数の冷却用の空気の流路を構成している。
【００３７】  基盤６０は、光源取付部材５０の円板部５２に下方から固定される円板部６１と、円板部６１から下方に突出された取付座６２とを有している。取付座６２の下面は、後に詳述するように傾斜した光源取付面６２ａとなっていて、この光源取付面６２ａに、面状光源７０が傾斜姿勢で取り付けられている。
【００３８】  面状光源７０は、基盤６０の光源取付面６２ａに取り付けられている。
【００３９】  リフレクター８０は、ほぼ椀状に形成されていて、面状光源７０の下方を覆うように傾斜姿勢で配設されている。リフレクター８０の開口部は、斜めに切り落とされていて、この開口部に拡散板９０が配設されている。
【００４０】  拡散板９０は、ほぼ円板状に形成されていて、カバー１００によって支持されるとともに、固定金具９４によって固定されている。
【００４１】  カバー１００は、上述のリフレクター８０及び拡散板９０を下方から支持している。
【００４２】  コーン１１０は、カバー１００を支持し、さらにカバー１００を介して、リフレクター８０及び拡散板９０を支持した状態で、ボディ４０に固定されている。
【００４３】  上述の照明器具本体２０は、ソケット３０〜コーン１１０が一体に組み合わされて、ほぼ筒状に構成されている。照明器具本体２０は、埋込フレーム１０に下方から挿入することにより、埋込フレーム１０の固定ばね１４がコーン１１０に係合することによって、埋込フレーム１０に装着される。この際、照明器具本体２０の中心軸Ｃ０は、鉛直を向くようになっている。以上で、照明器具１の概略構成についての説明を終える。
【００４４】  次に、図２、図５〜図７を参照して、基盤６０〜コーン１１０について詳述する。
【００４５】  ここで、図２は、上述のように、図１中のＸ−Ｘ線矢視拡大図である。また、図５は、基盤６０、面状光源７０、リフレクター８０、拡散板９０、カバー１００、及びコーン１１０の、図１中のＸ−Ｘ線矢視拡大図である。また、図６は、このうち、リフレクター８０〜コーン１１０を斜め上方から見た分解斜視図である。また、図７は、同じく、リフレクター８０〜コーン１１０を斜め下方から見た分解斜視図である。
【００４６】  本実施形態においては、基盤６０における面状光源７０の光源取付面６２ａとリフレクター８０の位置関係等について、図５に示すように、設定している。
【００４７】  すなわち、平面Ｖで切った断面上において、照明器具本体２０の鉛直な中心軸Ｃ０に対して、リフレクター８０の軸心Ｃ１を傾斜角度αで傾斜させている。また、発光面７２の中心Ｏを通ってこの軸心Ｃ１に直交する第１の仮想平面Ｈ１に対して、面状光源７０の発光面７２を傾斜角度βで傾斜させている。さらに、発光面７２の中心Ｏを中心軸Ｃ０上に載せないで、中心軸Ｃ０からずらしている。以下、これらの点について詳述する。
【００４８】  ここで、図５において、照明器具本体２０（図２参照）の中心軸Ｃ０は、鉛直方向（上下方向）を向いている。この中心軸Ｃ０を含み、壁面Ｗに平行な面を基準面Ｈ０とする。そして、この基準面Ｈ０を基準として、これよりも壁面Ｗに近い側をＡ側、逆に、基準面Ｈ０よりも遠い側をＢ側とする。例えば、リフレクター８０のＡ側といった場合は、リフレクター８０のうちの、壁面に近い側（部分）をいう。また、リフレクター８０のＢ側といった場合は、リフレクター８０のうちの、壁面Ｗから遠い側（部分）をいう。他の部材についても、同様である。
【００４９】  基盤６０は、図５に示すように、円板部６１と、この円板部６１から下方に突設された取付座６２とを有しており、取付座６２の下面は、面状光源７０が取り付けられる光源取付面６２ａとなっている。この光源取付面６２ａは、平面状でかつＢ側が上方に位置するように傾斜した面（傾斜面）として形成されている。
【００５０】  面状光源７０は、小さな多数のＬＥＤ素子が面状に整列されて構成された、いわゆるＣＯＢ（ｃｈｉｐ  ｏｎ  ｂｏａｒｄ：チップ・オン・ボード）タイプのＬＥＤモジュールである。このような面状光源７０としては、例えば、シチズン電子株式会社製のものを使用することができる。このものは、例えば、正方形のアルミニウムの基板７１上に、縦横多数のＬＥＤ素子を正方形状に整列させ、その表面を蛍光体を含むシリコーン樹脂で封止することで、正方形に内接する円形の発光面７２を構成している。面状光源７０は、基板７１が基盤６０の光源取付面６２ａに密着された状態で直接固定されていて、冷却効率が高められている。面状光源７０は、各ＬＥＤ素子から、１２０°の照射角度を持って光が発光され、これらが集まって面状の光源となっている。
【００５１】  面状光源７０は、基盤６０の光源取付面６２ａに接触する基板７１の裏面と、発光面７２とが相互に平行に形成されているため、発光面７２の傾斜角度βは、基盤６０の光源取付面６２ａの傾斜角度と同じになる。
【００５２】  リフレクター８０は、軸心Ｃ１を中心とするほぼ椀形に形成されていて、上端に開口部Ｋ１を有し、下端に開口部Ｋ２を有している。
【００５３】  リフレクター８０の軸心Ｃ１は、照明器具本体の中心軸Ｃ０に対して、傾斜角度α（ただし、０＜α＜９０度）で交差している。また、軸心Ｃ１に直交する平面を第１の仮想平面Ｈ１とすると、上述の発光面７２は、この第１の仮想平面Ｈ１に対して、傾斜角度β（ただし、０＜β＜９０度）で傾斜している。
【００５４】  さらに、本実施形態では、発光面７２とリフレクター８０とは、上述の傾斜角度α，βの間に、      α≦β＜９０度が成立するように構成されている。
【００５５】  このように構成されることにより、発光面７２がリフレクター８０におけるＢ側に位置する部分に向くことになる。このため、発光面７２から発光された光の光量のうち、リフレクター８０のＢ側に位置する部分に向かう光量が増加され、ここで反射されて壁面Ｗに向かう光量を増加させることができる。
【００５６】  なお、α＝βの場合とは、αを固定して考えると、発光面７２が中心軸Ｃ０に対して直交する場合であり、この場合でも、発光面７２は、軸心Ｃ１に対しては、傾斜角度αを持つため、上述同様、壁面Ｗに向かう光量を増加させることができる。
【００５７】  さらに、本実施形態では、発光面７２の中心Ｏを、照明器具本体２０の中心軸Ｃ０からずらしている。これにより、傾斜配置されたリフレクター８０が、中心軸Ｃ０を中心とした最小の半径内に入るようにしている。すなわち、例えば、リフレクター８０のうちの、Ａ側に位置する部分のうち、中心軸Ｃ０から最も遠くに位置する部分を部分Ｍとし、同様に、リフレクター８０のうちの、Ｂ側に位置する部分のうち、中心軸Ｃ０から最も遠くに位置する部分を部分Ｎとすると、中心軸Ｃ０から、部分Ｍまでの距離と部分Ｎまでの距離が等しくなるように、発光面７２の中心Ｏを中心軸Ｃ０からずらすようにする。これにより、傾斜姿勢のリフレクター８０全体を、半径が最小の仮想の円筒空間内に収めることが可能となる。つまり、無駄なスペースを割愛して、スペース効率を高めることができる。
【００５８】  上述のリフレクター８０は、内周面に、軸心Ｃ１に直交する第２の仮想平面（仮想平面）Ｈ２を基準として、その上側（面状光源７０に近い側）に回転放物面状の第１の反射面８１が形成され、下側（面状光源７０から遠い側）に回転楕円面状の第２の反射面８２が形成されている。
【００５９】  第１の反射面８１は、軸心Ｃ１に平行な直線Ｃ２を中心としてこの直線Ｃ２上に焦点Ｆ１を有する放物線の一部を、軸心Ｃ１の周りに回転することにより得られる回転放物面状に形成されている。この焦点Ｆ１は、発光面７２における直線Ｃ２との交点に設定されている。焦点Ｆ１は、発光面７２の半径をｒとすると、中心Ｏからｒ／４〜３ｒ／４程度の範囲、例えば、ｒ／２程度に配置されている。なお、発光面７２が円形でない場合、例えば、正方形の場合は、その内接円で考えればよい。
【００６０】  なお、上述では、直線Ｃ２を、軸心Ｃ１と平行に配置した例を説明したが、これに代えて、直線Ｃ２を軸心Ｃ１と一致させたり、あるいは軸心Ｃ１に対して傾斜させたりしてもよい。
【００６１】  本実施形態においては、上述のように、面状光源７０の発光面７２は、第１の仮想平面Ｈ１に対して傾斜角度βで傾斜させ、さらに、焦点Ｆ１を発光面７２の中心からずらしている。このため、焦点Ｆ１は、仮に、中心Ｏを原点、また、中心Ｏを通って軸心Ｃ１に直交する方向をｘ軸、そして、軸心Ｃ１の方向をｙ軸とした場合、ｘ軸及びｙ軸に沿ったｘ座標（ｘ成分）及びｙ座標（ｙ成分）を有することになる。
【００６２】  これにより、リフレクター８０は、焦点Ｆ１が発光面７２の中心Ｏと一致する場合には得ることができない、図５中の光路Ｌｂ，Ｌｂ´を得ることができる。
【００６３】  すなわち、図５に示すように、発光面７２上の、焦点Ｆ１から出て光路Ｌａを進む光、焦点Ｆ１よりも内側（軸心Ｃ１に近い側）から出て光路Ｌｂを進む光、及び焦点Ｆ１よりも外側（軸心Ｃ１から遠い側）から出て光路Ｌｃを進む光が、第１の反射面８１の同じ点に当たって反射したとする。光路Ｌａ，Ｌｂ，Ｌｃを進んで反射した光は、それぞれ反射後に、光路Ｌａ´，Ｌｂ´，Ｌｃ´を進む。ここで、光路Ｌａ´は、焦点Ｆ１から出て第１の反射面８１で反射した光なので、軸心Ｃ１と平行になる。この光路Ｌａ´に対して、光路Ｌｂ´は内側（壁面Ｗに近い側）となり、一方、光路Ｌｃは外側（壁面Ｗから遠い側）となる。これら光路Ｌｂ´，Ｌｃ´のうち、仮に焦点Ｆ１が発光面７２の中心Ｏと一致した場合には、光路Ｌｃ´と同様な光路は得ることができるものの、焦点Ｆ１よりも内側には発光する部分が無いため、光路Ｌｂ´と同様な光路は得ることができない。
【００６４】  本実施形態では、上述のように光路Ｌｂ，Ｌｂ´を設けることができるため、例えば、光路Ｌａ´を進む光が主に床面Ｆを照射する場合には、光路Ｌｂ´は、光路Ｌａ´を進む光による床面Ｆの照射領域に隣接するこれよりも壁面Ｗ側の領域を照射することができる。また、例えば、光路Ｌａ´を進む光が主に壁面Ｗにおける床面Ｆ近傍を照射する場合には、光路Ｌｂ´は、光路Ｌａ´を進む光による壁面Ｗの照射領域に隣接するこれよりも上側の領域を照射することができる。いずれの場合も、光路Ｌｂ´を進む光は、光路Ｌａ´を進む光による照射領域に隣接した領域を、コントロール性の高い光によって良好に照射することができる。
【００６５】  第２の反射面８２は、楕円の一部を、軸心Ｃ１の周りに回転することにより得られる回転楕円面状に形成されている。楕円の上側の焦点ｆ１及び下側の焦点ｆ２は、いずれも軸心Ｃ１上に配置され、さらに、焦点ｆ１は、発光面７２の中心Ｏに配置され、焦点ｆ２は、第２の反射面８２の下端縁の一部８２ａ（下端縁のうちの最も下側に位置する部分）よりも下側に配置されている。第２の反射面８２の下端側は、軸心Ｃ１に対して、Ａ側が上に位置するように傾斜した仮想平面によって切られて、開口部Ｋ２を形成している。これにより、反射光を周方向に拡散させることができる。
【００６６】  なお、以上では、焦点ｆ１，ｆ２が、軸心Ｃ１上に配置されている場合を例に説明したが、これに代えて、焦点ｆ１，ｆ２のうちの少なくとも一方が、軸心Ｃ１からずれていてもよい。すなわち、以上では、第２の反射面８２の基となる楕円の長軸が軸心Ｃ１と一致する場合を例に説明したが、これに代えて、長軸が、軸心Ｃ１と平行、あるいは、軸心Ｃ１に対して傾斜していてもよい。
【００６７】  上述の第１の反射面８１には、周方向に交差する方向に延びる凸条及び凹条を周方向に沿って多数有するローレット加工が施されている。これにより、反射光を周方向に拡散させることができる。一方、第２の反射面８２には、ファセット加工が施されている。これにより、反射光を周方向及びこれに交差する上下方向に拡散させることができる。
【００６８】  上述のリフレクター８０の下側の開口部Ｋ２には、拡散板９０が配設されている。
【００６９】  拡散板９０は、図６に示すように、円板状に形成されていて、表面側（上面側）には、フィルタ９１が設けられ、裏面側には拡散ガラス９２が設けられている。フィルタ９１は、発光面２２からの直接光、第１の反射面８１及び第２の反射面８２からの反射光を壁面Ｗに向かって左右方向に広げるものである。また、拡散ガラス９２は、フィルタ９１を透過した光を拡散させるものである。
【００７０】  拡散板９０は、リフレクター８０とともに、カバー１００によって支持されている。
【００７１】  カバー１００は、図５、図６に示すように、Ｂ側に、急斜面からなる当接部１０１、水平面からなる載置部１０２を有している。一方、Ａ側には、緩斜面からなる２つの載置部１０３を有している。カバー１００は、また、Ｂ側からＡ側に跨って、円弧状の段部１０４を有している。この段部１０４は、Ａ側が上側に位置するように傾斜している。リフレクター８０は、Ｂ側の外周面が当接部１０１に当接され、また、上述の下端縁の一部８２ａが載置部１０２に載せられ、さらに、下端縁の一部８２ｂ（下端縁のうちの最も上側に位置する部分）の近傍が、載置部１０３に載せられて支持されている。一方、拡散板９０は、その周縁部９３の半周分以上を段部１０４に係合され、さらに、Ａ側に位置する部分が固定金具９４によって固定されている。
【００７２】  カバー１００は、さらに、Ａ側に第１の遮光部１０５を有し、Ｂ側に第２の遮光部１０６を有している。第１の遮光部１０５は、カバー１００における上側に配置されていて、その内端には、中心軸Ｃ０に向かう緩やかな凹状のエッジＥ１が形成されている。一方、第２の遮光部１０６は、カバー１００のおける下端に配置されていて、その内端には、中心軸Ｃ０に向かう緩やかな凹状のエッジＥ２が形成されている。これらエッジＥ１，Ｅ２は、下面視において（下側から見たとき）、中心軸Ｃ０を挟んで相互に対向しており、壁面Ｗに直交する方向よりも、壁面Ｗに沿った方向に長い開口部を形成している。
【００７３】  これらエッジＥ１，Ｅ２は、カットオフアングルを規制している。このうち、特に、エッジＥ２は、使用者が壁面Ｗに近づいてくる際のカットオフアングルθ２を大きくしている。遮光部１０６が無い場合には、拡散板９０の傾斜角度がそのままカットオフアングルθ１となる。これに対し、遮光部１０６を中心軸Ｃ０に向かって張り出すように設けることにより、エッジＥ２がカットオフアングルθ２を大きくしている。
【００７４】  コーン（保持部材）１１０は、筒状部１１１と反射部１１２とを有している。このうち、筒状部１１１は、上端寄りに、段部（係合凹部）１１３を有している。この段部１１３は、上述の埋込フレーム１０に対して、照明器具本体２０を取り付ける際に、埋込フレーム１０側の固定ばね１４が付勢的に係合される。これにより、照明器具本体２０全体が、埋込フレーム１０に対して位置決め固定される。
【００７５】  反射部１１２は、筒状部１１１の下端から、中心軸Ｃ０に向かって斜め上方に延びるように形成されており、下面（内面）には反射面１１４が設けてある。反射面１１４は、中心軸Ｃ０と同平面に位置する放物線の一部を、中心軸Ｃ０の周りに回転することによって得られる回転放物面状に形成されている。この放物線の焦点Ｆ２は、中心軸Ｃ０と、拡散板９０の裏面との交点に設定されている。この反射面１１４は、リフレクター８０におけるＢ側の反射面８１，８２によって反射された光の光路からは外れた位置に配置されていて、拡散板９０によって拡散された光の一部が当たるようになっている。
【００７６】  このような反射面１１４を設けることにより、床面Ｆ（図９参照）に向けた光の光量を増加させるとともに、この光のコントロール性を高めることができる。
【００７７】  なお、反射面１１４の回転の中心となる軸を回転軸Ｃ３とすると、上述では、この回転軸Ｃ３を中心軸Ｃ０に一致させた例を説明した。これに代えて、回転軸Ｃ３を、リフレクター８０の軸心Ｃ１に一致させてもよい。さらに、回転軸Ｃ３を中心軸Ｃ０と軸心Ｃ１との間に設定してもよい。すなわち、中心軸Ｃ０に対する回転軸Ｃ３の傾斜角度をγとしたときに、このγと、上述の中心軸Ｃ０に対する軸心Ｃ１の傾斜角度αとの間に、      ０≦γ≦αが成立するようにしてもよい。ただし、いずれの場合も、反射面１１４の焦点Ｆ２は、回転軸Ｃ３と拡散板９０の裏面との交点に設定するものとする。
【００７８】  反射面１１４は、傾斜角度γの大きさにかかわらず、回転軸Ｃ３が向かう方向の光のコントロール性を高めることができる。
【００７９】  ここで、図８は、上述のように、照明器具１から射出される光の光路を説明する図である。また、図９は、照明器具１から射出される光の光路、及び照射範囲（領域）を説明する図である。なお、これらの図では、反射面１１４の回転軸Ｃ３が、リフレクター８０の軸心Ｃ１と一致している場合を例示している。
【００８０】  図８に示すように、発光面７２から出てリフレクター８０の第１の反射面８１で反射された光は、拡散板９０を通過して、ほぼ光路Ｌ１と光路Ｌ２との間を進む。
【００８１】  また、発光面７２から出てリフレクター８０の第２の反射面８２で反射された光は、拡散板９０を通過して、ほぼ光路Ｌ３と光路Ｌ４との間を進む。
【００８２】  また、発光面７２から出て拡散板９０により拡散された光の一部は、反射面１１４で反射された光は、ほぼ光路Ｌ５と光路Ｌ６との間を進む。
【００８３】  さらに、発光面７２から出た直接光は、ほぼ光路Ｌ７とＬ８との間を進む。
【００８４】  この結果、例えば、照明器具１が床面Ｆからの高さ３０００ｍｍ、壁面Ｗからの距離６００ｍｍに設置されている場合には、上述の光路Ｌ１〜Ｌ８等を進む光によって、床面Ｆ及び壁面Ｗが照射される。特に、壁面Ｗは、天井面Ｃ近傍から床面Ｆ近傍まで、均斉に照射されることになる。
【００８５】  以下に、上述構成の照明器具本体２０、及び照明器具１の作用、効果についてまとめる。
【００８６】  ・リフレクター８０は、軸心Ｃ１の下側を壁面Ｗに近づけるように傾斜姿勢で配設され、また、面状光源７０の発光面７２は、その軸心Ｃ１に直交する第１の仮想平面Ｈ１を基準として、壁面Ｗから遠い側（Ｂ側）が相対的に上側に位置するように傾斜している。つまり、発光面７２は、リフレクター８０のうちの軸心Ｃ１よりも壁面Ｗから遠い側に位置する部分に向けられている。これにより、発光面７２から射出される光の光量のうち、リフレクター８０の壁面Ｗから遠い側に供給される光量が増加する。
【００８７】  ・中心軸Ｃ０に対するリフレクター８０の軸心Ｃ１の傾斜角度をα、第１の仮想平面Ｈ１に対する発光面７２の傾斜角度をβとしたときに、これらαとβとの間に、      α≦β＜９０度が成立する。
【００８８】  ここで、α＝βの場合とは、発光面７２が上下方向の中心軸Ｃ０に対して直交して水平となる場合であり、また、β＝９０度の場合とは、発光面７２の傾斜角度βが軸心Ｃ１の傾斜角度αと同じとなる場合である。発光面７２は、これらの間で傾斜することにより、射出する光量のうち、リフレクター８０の壁面Ｗから遠い側に供給される光量の増加量を調整することができる。
【００８９】  ・照明器具本体２０の中心軸Ｃ０に対して軸心Ｃ１が傾斜しているリフレクター８０は、リフレクター８０の部分のうち、中心軸Ｃ０から最も遠くに位置する部分Ｍ（又は部分Ｎ）と最も近くに位置する部分Ｎ（又は部分Ｍ）との、中心軸Ｃ０からの距離の差を小さくすることができる。言い換えると、照明器具本体２０の中心軸Ｃ０に対してリフレクター８０の軸心Ｃ１が傾斜しているため、リフレクター８０の軸心Ｃ１上に位置している発光面７２の中心を、さらに照明器具本体２０の中心軸Ｃ０上に配置しようとすると、照明器具本体２０の中心軸Ｃ０を基準とするリフレクター８０の実質的な半径が大きくなってしまうおそれがある。これに対し、発光面７２及びリフレクター８０を中心軸Ｃ０から適宜な距離だけずらすことにより、中心軸Ｃ０を基準としたリフレクター８０の実質的な半径を最小にすることができる。
【００９０】  ・リフレクター８０は、照明器具本体２０に対して傾斜姿勢で配設され、回転放物面状の第１の反射面８１と、回転楕円面状の第２の反射面８２とを有するので、第１の反射面８１により軸心Ｃ１方向の、及び第２の反射面８２により軸心Ｃ１に交差する方向の光のコントロール性を高めることができる。
【００９１】  ・第１の反射面８１は、放物線の焦点Ｆ１が発光面７２の中心Ｏからずれているので、焦点Ｆ１から出て第１の反射面８１で反射されて軸心Ｃ１に平行に進んだ光による照射領域（範囲）の内側（図５中の壁面Ｗに近い側）の領域（範囲）を、発光面７２のうちの焦点Ｆ１よりも内側から出る光により照射し、また、外側（図５中の壁面Ｗから遠い側）の領域（範囲）を発光面７２のうちの焦点Ｆ１よりも外側から出る光によって照射することができる。
【００９２】  ・第２の反射面８２は、楕円の上側の焦点ｆ１が発光面７２から出て第２の反射面８２に至る光の光路中に配置され、楕円の下側の焦点ｆ２が、第２の反射面８２の下端縁の一部（下端）８２ａよりも下側に配置されているので、発光面７２から出て上側の焦点ｆ１を通過した光は、第２の反射面８２で反射されて、下側の焦点ｆ２を通り、斜め下方に向かって進む。
【００９３】  ・さらに、上側の焦点ｆ１及び下側の焦点ｆ２が軸心Ｃ１上に配置され、かつ上側の焦点ｆ１が発光面７２の中心に配置されているので、発光面７２の中心から出た光は、第２の反射面８２で反射され、下側の焦点ｆ２を通り、斜め下方に向かって進む。
【００９４】  ・第１の反射面８１は、ローレットが施されていて、反射光を周方向に拡散させることができる。
【００９５】  ・第２の反射面８２は、ファセット加工が施されているので、反射光を周方向及びこれに交差する方向に拡散させることができる。
【００９６】  ・コーン（保持部材）１１０は、軸心Ｃ１よりも壁面Ｗに近い側に、回転放物面状の反射面１１４を有しているので、照明器具本体２０は、リフレクター８０からの反射光に、この反射面１１４からの反射光を加えることができ、その分、照射光のコントロール性を高めることができる。
【００９７】  ・反射面１１４は、回転軸Ｃ３の傾斜角度γを、０≦γ≦αを満たすように設定することにより、この範囲内で、反射光を向ける方向を設定することができる。
【００９８】  ・反射面１１４は、焦点Ｆ２を通ってきた光を、回転軸Ｃ３方向に向けて反射することができる。
【００９９】  ・拡散板９０を設けることにより、反射面１１４は、リフレクター８０からの反射光を直接受けることができない場合でも、拡散板９０からの光を受けてこれを反射させることができる。
【符号の説明】
【０１００】  １      照明器具  １０    埋込フレーム（本体取付具）  ２０    照明器具本体  ３０    ソケット  ４０    ボディ  ５０    光源取付部材  ６０    基盤  ７０    面状光源  ７２    発光面  ８０    リフレクター  ８１    第１の反射面  ８２    第２の反射面  ９０    拡散板  １００  カバー  １１０  コーン（保持部材）  １１４  反射面  Ｃ      天井面  Ｃ０    中心軸  Ｃ１    軸心  Ｃ３    回転軸  Ｆ１    放物線の焦点  Ｆ２    放物線の焦点  ｆ１    楕円の上側の焦点  ｆ２    楕円の下側の焦点  Ｈ１    第１の仮想平面  Ｗ      壁面  α      中心軸に対する軸心の傾斜角度  β      第１の仮想平面に対する発光面の傾斜角度  γ      回転軸の傾斜角度 
【図１】
2016031944.tif 000003
【図２】
2016031944.tif 000004
【図３】
2016031944.tif 000005
【図４】
2016031944.tif 000006
【図５】
2016031944.tif 000007
【図６】
2016031944.tif 000008
【図７】
2016031944.tif 000009
【図８】
2016031944.tif 000010
【図９】
2016031944.tif 000011
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
中心軸を上下方向に向けた姿勢で天井面に埋め込まれて使用される照明器具本体において、
発光面を有する面状光源と、
軸心を中心とした椀状に形成され、前記発光面の下方を覆うように配設されたリフレクターと、を備え、
前記リフレクターは、
前記軸心が下側を壁面に近づけるように傾斜姿勢で配設されるとともに、
前記軸心に直交する仮想平面よりも前記発光面に近い側に、回転放物面状の第１の反射面を有し、前記発光面から遠い側に、回転楕円面状の第２の反射面を有し、
前記第１の反射面は、前記軸心を含んで前記壁面に直交する平面で切った断面において、前記軸心に平行でかつ前記壁面から前記軸心よりも遠くに位置する直線を中心とする放物線のうちの、前記軸心から前記直線よりも遠くに位置する部分の一部を、前記軸心の周りに回転することにより得られる回転放物面状であり、
前記第２反射面は、前記断面上の楕円の一部を、前記軸心の周りに回転することにより得られる回転楕円面状である、
ことを特徴とする照明器具本体。
【請求項２】
前記第１の反射面は、前記断面上において、前記発光面と前記直線との交点に焦点を有する、
ことを特徴とする請求項１に記載の照明器具本体。
【請求項３】
前記第２の反射面は、前記断面上において、前記楕円の上側の焦点が、前記発光面から出て前記第２の反射面に至る光の光路中に配置され、前記楕円の下側の焦点が、前記第２の反射面の下端よりも下側に配置されている、
ことを特徴とする請求項１又は２に記載の照明器具本体。
【請求項４】
前記第２の反射面は、前記断面上において、前記上側の焦点及び前記下側の焦点が前記軸心上に配置され、かつ前記上側の焦点が前記発光面の中心に配置されている、
ことを特徴とする請求項３に記載の照明器具本体。
【請求項５】
前記第１の反射面は、前記回転放物面の周方向に交差する方向に延びる凸状及び凹状を前記周方向沿って多数有するローレット加工が施されている、
ことを特徴とする請求項１ないし４のいずれか１項に記載の照明器具本体。
【請求項６】
前記第２の反射面は、ファセット加工が施されている、
ことを特徴とする請求項１ないし５のいずれか１項に記載の照明器具本体。
【請求項７】
請求項１ないし６のいずれか１項に記載の照明器具本体と、
天井面に穿設された取付孔に固定されて、前記照明器具本体を着脱可能に保持する本体取付具と、を備える、
ことを特徴とする照明器具。
【手続補正２】
【補正対象書類名】明細書
【補正対象項目名】０００９
【補正方法】変更
【補正の内容】
【０００９】
請求項１に係る発明は、中心軸を上下方向に向けた姿勢で天井面に埋め込まれて使用される照明器具本体において、発光面を有する面状光源と、軸心を中心とした椀状に形成され、前記発光面の下方を覆うように配設されたリフレクターと、を備え、前記リフレクターは、前記軸心が下側を壁面に近づけるように傾斜姿勢で配設されるとともに、前記軸心に直交する仮想平面よりも前記発光面に近い側に、回転放物面状の第１の反射面を有し、前記発光面から遠い側に、回転楕円面状の第２の反射面を有し、前記第１の反射面は、前記軸心を含んで前記壁面に直交する平面で切った断面において、前記軸心に平行でかつ前記壁面から前記軸心よりも遠くに位置する直線を中心とする放物線のうちの、前記軸心から前記直線よりも遠くに位置する部分の一部を、前記軸心の周りに回転することにより得られる回転放物面状であり、前記第２反射面は、前記断面上の楕円の一部を、前記軸心の周りに回転することにより得られる回転楕円面状である、ことを特徴とする。
【手続補正３】
【補正対象書類名】明細書
【補正対象項目名】００１０
【補正方法】変更
【補正の内容】
【００１０】
請求項２に係る発明は、請求項１に係る照明器具本体において、前記第１の反射面は、前記断面上において、前記発光面と前記直線との交点に焦点を有する、ことを特徴とする。
【手続補正４】
【補正対象書類名】明細書
【補正対象項目名】００１１
【補正方法】変更
【補正の内容】
【００１１】
請求項３に係る発明は、請求項１又は２に係る照明器具本体において、前記第２の反射面は、前記断面上において、前記楕円の上側の焦点が、前記発光面から出て前記第２の反射面に至る光の光路中に配置され、前記楕円の下側の焦点が、前記第２の反射面の下端よりも下側に配置されている、ことを特徴とする。
【手続補正５】
【補正対象書類名】明細書
【補正対象項目名】００１２
【補正方法】変更
【補正の内容】
【００１２】
請求項４に係る発明は、請求項３に係る照明器具本体において、前記第２の反射面は、前記断面上において、前記上側の焦点及び前記下側の焦点が前記軸心上に配置され、かつ前記上側の焦点が前記発光面の中心に配置されている、ことを特徴とする。
【手続補正６】
【補正対象書類名】明細書
【補正対象項目名】００１５
【補正方法】変更
【補正の内容】
【００１５】
請求項１の発明によれば、リフレクターは、照明器具本体に対して傾斜姿勢で配設され、回転放物面状の第１の反射面と、回転楕円面状の第２の反射面とを有するので、第１の反射面により軸心方向の、また、第２の反射面により軸心に交差する方向の光のコントロール性を高めることができる。
さらに、第１の反射面の焦点が集まって円形を形成するので、発光面上の、焦点に対応する位置から出て第１の反射面で反射される多くの光のコントロール性を、一層、高めることができる。
【手続補正７】
【補正対象書類名】明細書
【補正対象項目名】００１６
【補正方法】変更
【補正の内容】
【００１６】
請求項２の発明によれば、第１の反射面は、断面上において、発光面と直線との交点に焦点を有するので、発光面のうちの焦点から出た光は、第１の反射面により、軸心と平行に反射され、また、発光面のうちの焦点よりも内側から出た光は、第１の反射面により、軸心に近づくように反射され、さらに、発光面のうちの焦点よりも外側から出た光は第１の反射面により、軸心から遠ざかるように反射される。
【国際調査報告】
2016031944.tif 000012
2016031944.tif 000013
2016031944.tif 000014
2016031944.tif 000015